(57)【要約】      （修正有）【課題】パネル型の放射体を用いて、建物内を適切な温度、湿度で空調することができ、冷房運転中の放射体に結露が発生せず、居住者にとって快適な空調システムを提供する。【解決手段】空調システム１００は、温度調節された第二熱交換媒体（水）を内部に流通させ表面から暖気若しくは冷気を放出して放射空調を行うため建物９０内に配置された放射体１０と、第二熱交換媒体（水）を温度調節して放射体１０との間で循環させる第二熱交換ユニットと、建物９０の内部から導入した空気と屋外から導入した空気との混合空気に調湿、調温を施して形成した調和空気を建物９０の内部へ再供給する第一熱交換ユニットと、第一熱交換媒体を温度調節して第二熱交換ユニット及び第一熱交換ユニットとの間で循環させる熱源機と、を有する温湿度処理装置８０と、を備え、温湿度処理装置８０を建物９０の外部に配置している。【選択図】図１
2019039602.tif 000002
【特許請求の範囲】
【請求項１】
建物の内部から還気経路を経由して導入した還気と、屋外から導入した外気との混合空気若しくは前記還気に調湿処理、調温処理の少なくとも一方を施して生成した調和空気を送風手段により給気経路を経由して前記建物の内部へ供給する第一熱交換ユニットと、
第一熱交換媒体を温度調節して前記第一熱交換ユニットとの間で循環させる熱源機と、を有する温湿度処理装置と、
温度調節された第二熱交換媒体を内部に流通させ表面から暖気若しくは冷気を放出して放射空調を行うため建物内に配置された放射体と、
前記第二熱交換媒体を温度調節して前記放射体との間で循環させる第二熱交換ユニットと、を備え、
前記第一熱交換ユニット、前記第二熱交換ユニットは、それぞれ前記第一熱交換媒体、前記第二熱交換媒体によって熱交換を行う第一熱交換器、第二熱交換器を有し、
前記第二熱交換器は前記第一熱交換ユニットの前記第一熱交換媒体の配管途中に介在し、
前記第二熱交換器の前記第二熱交換媒体は前記第一熱交換ユニットの前記第一熱交換媒体（冷媒）との間で熱交換を行い、
前記温湿度処理装置は前記建物の外部に配置し、
前記建物の内部と、前記温湿度処理装置と、を前記還気経路及び前記給気経路で連通した空調システム。
【請求項２】
前記還気経路及び前記給気経路の機能を互いに可逆的に転換可能な流路切替手段を設けた請求項１記載の空調システム。
【請求項３】
前記建物の床下空間が、前記給気経路若しくは前記還気経路の少なくとも一方の一部をなす請求項１または２記載の空調システム。
【請求項４】
前記温湿度処理装置から前記給気経路を経由して前記建物の内部へ再供給される調和空気の供給量が、前記建物の内部から前記還気経路を経由して前記温湿度処理装置へ導入される空気量より大である請求項１〜３の何れかに記載の空調システム。
【請求項５】
前記第二熱交換ユニットが前記温湿度処理装置に一体化した請求項１〜４の何れかに記載の空調システム。
【請求項６】
前記建物の内部の空気を屋外へ排出可能な少なくとも一つの排気経路を前記建物の壁部に設けた請求項１〜５の何れかに記載の空調システム。
【請求項７】
空気の温度、湿度、二酸化炭素濃度若しくは空気汚染度のうちの少なくとも１以上を感知するセンサを、前記建物内若しくは前記建物の内部の空気を前記第一熱交換ユニットに導入するための空気流路に配置し、
前記センサの計測値に基づいて、前記第一熱交換ユニットから前記建物の内部へ供給される調和空気の温度制御、湿度制御、供給量制御のうちの１以上を行う制御手段を設けた請求項１〜６の何れかに記載の空調システム。
【請求項８】
前記センサと前記制御手段との間の信号伝達を無線通信で行う請求項７記載の空調システム。
【請求項９】
前記温度センサ、前記湿度センサの少なくとも一方の計測値に基づいて、前記第一熱交換ユニットへ導入する前記還気の風量及び前記外気の風量を調整する制御機能を設けた請求項１〜８の何れかに記載の空調システム。
【請求項１０】
前記温湿度処理装置が、
前記温湿度処理装置に導入される空気を清浄化するフィルタと、
前記温湿度処理装置から建物内へ再供給される空気に加湿する加湿器と、
前記空気中の余剰水分を除去するエリミネータと、を備えた請求項１〜９の何れかに記載の空調システム。
【発明の詳細な説明】
【技術分野】
【０００１】
本発明は、パネル型の放射体を用いて建物内の冷暖房を行う空調システムに関する。
【背景技術】
【０００２】
パネル型の放射体を用いて建物内の冷暖房を行うための空調システムについては、従来、様々な方式が提案されているが、本発明に関連するものとして、例えば、特許文献１記載の「冷暖房システム」などがある。
【０００３】
特許文献１記載の「冷暖房システム」は、多数の管部材を備えて形成された冷暖房パネルと、この冷暖房パネルの内部に高温あるいは低温の流体を流通させる流体供給装置とを備えている。流体供給装置は、冷暖房パネルを形成する多数の管部材に接続されて閉経路を形成する配管と、閉経路内の流体を循環させるポンプと、閉経路内の流体を加熱する燃料ボイラと、閉経路内の流体を加熱あるいは冷却するヒートポンプとを備えている。
【０００４】
この「冷暖房システム」は、外気温度の高低に応じて、燃料ボイラあるいはヒートポンプを選択的に稼働させ、閉経路内の流体を加熱したり、冷却したりすることによって冷暖房を行うものである。
【先行技術文献】
【特許文献】
【０００５】
【特許文献１】特開２００８−１２１９０７号公報
【発明の概要】
【発明が解決しようとする課題】
【０００６】
前述したように、特許文献１記載の「冷暖房システム」は、燃料ボイラ及びヒートポンプを備えた流体供給装置を具備したことにより、冬場の暖房手段としてだけでなく、夏場の冷房手段として利用することができる。
【０００７】
しかしながら、前記「冷暖房システム」を湿度の高い夏場の冷却手段として利用した場合、冷房運転中の冷暖房パネル近傍の空気が露点以下に冷却され、冷暖房パネル表面に結露が生じることが多い。このため、冷暖房パネルから流下する結露水を回収して所定場所へ排出するための排水手段（ドレンパン及び排水経路（施工を含む））を設ける必要がある。また、前記冷暖房パネルは、結露水の排水手段を設ける必要性があるが故に、その設置場所を決定する際に考慮する必要がある。特に、冷房時、室内の湿度が放射体表面の露点より低くなるように湿度コントロールができれば、排水手段は不要となり、排水経路の施工やドレンパンが不要となる。
【０００８】
そこで、本発明が解決しようとする課題は、パネル型の放射体を用いた空調システムであって、建物内を適切な温度、湿度で空調することができ、冷房運転中の放射体に結露が発生せず、居住者にとって快適な空調システムを提供することにある。
【課題を解決するための手段】
【０００９】
本発明の空調システムは、
建物の内部から還気経路を経由して導入した空気（還気）と、屋外から導入した空気（外気）との混合空気若しくは前記還気に調湿処理、調温処理の少なくとも一方を施して生成した調和空気を送風手段により給気経路を経由して前記建物の内部へ供給する第一熱交換ユニットと、
第一熱交換媒体（冷媒）を温度調節して前記第一熱交換ユニットとの間で循環させる熱源機と、を有する温湿度処理装置と、
温度調節された第二熱交換媒体（冷温水）を内部に流通させ表面から暖気若しくは冷気を放出して放射空調を行うため建物内に配置された放射体と、
前記第二熱交換媒体（冷温水）を温度調節して前記放射体との間で循環させる第二熱交換ユニットと、を備え、
前記第一熱交換ユニット、前記第二熱交換ユニットは、それぞれ前記第一熱交換媒体（冷媒）、前記第二熱交換媒体（冷温水）によって熱交換を行う第一熱交換器、第二熱交換器を有し、
前記第二熱交換器は前記第一熱交換ユニットの前記第一熱交換媒体（冷媒）の配管途中に介在し、
前記第二熱交換器の前記第二熱交換媒体（冷温水）は前記第一熱交換ユニットの前記第一熱交換媒体（冷媒）との間で熱交換を行い、
前記温湿度処理装置は前記建物の外部に配置し、
前記建物の内部と、前記温湿度処理装置と、を前記還気経路及び前記給気経路で連通したことを特徴とする。
【００１０】
このような構成を備えた空調システムにおいては、建物の内部及び外部からそれぞれ導入した空気を混合した混合空気に第一熱交換ユニットにて調湿、調温の少なくとも一方を施すことよって生成した調和空気を建物の内部へ再供給するので、建物内の調湿、調温の少なくとも一方を行うことができる。また、第二熱交換ユニットで温度調節された第二熱交換媒体を、建物内に配置された放射体との間で循環させることにより、放射体から発される放射冷熱により建物内の冷暖房を行うことができる。
【００１１】
また、冷房運転時は、建物内の空気は除湿されているので、建物内の放射体で放射空調による冷房運転を行っても、放射体表面に結露が発生せず、居住者にとって快適な空調を行うことができ、ドレンパンや排水経路等の排水手段を省略することができる。
【００１２】
さらに、第一熱交換ユニットから建物内へ再供給される調和空気は、建物内の空気（還気）と屋外の空気（外気）とを含む混合空気を調湿、調温したものであるので、外気が建物内に導入されることにより、建物内の換気を図ることもできる。また、前記温湿度処理装置を建物外に配置したことにより、居住者が不在であっても、作業者が建物内へ入ることなく、温度処理装置のメンテナンスを行うことができるほか、建物内を静音化することができる。
【００１３】
前記空調システムにおいては、前記還気経路及び前記給気経路の機能を互いに可逆的に転換可能な流路切替手段を設けることができる。
【００１４】
このような構成とすれば、冷房運転、暖房運転によって給気位置を変更することができるので、快適性が向上する。また、調和空気を放射体によって温度調節して建物内に広く供給することが可能となるので、空調効率の向上に有効である。
【００１５】
前記空調システムにおいては、前記建物の床下空間が、前記給気経路若しくは前記還気経路の少なくとも一方の一部をなすようにすることができる。
【００１６】
このような構成とすれば、建物内の各部屋へ調和空気を再供給するためのダクト及び建物内の空気を第一熱交換ユニットへ導入するためのダクトを建物内に施工する必要がなくなるので、空調システムの構築工事の省力化だけでなく、ダクト工事用資材の軽減を図ることができる。
【００１７】
前記空調システムにおいては、前記温湿度処理装置から前記給気経路を経由して前記建物の内部へ再供給される調和空気の供給量が、前記建物の内部から前記還気経路を経由して前記温湿度処理装置へ導入される空気量より大となるようにすることができる。
【００１８】
このような構成とすれば、大気圧よりも室内圧（建物内の気圧）が高い状態に保たれるので、建物の隙間などを経由して、屋外から建物内へ塵埃や花粉などが侵入するのを防止することができ、建物内をクリーンな状態に維持することができる。
【００１９】
前記空調システムにおいては、前記第二熱交換ユニットを前記温湿度処理装置に一体化させることもできる。
【００２０】
このような構成とすれば、当該空調システムを構築する空調用機材の簡素化、コンパクト化を図ることができ、機器設置作業を簡素化することもできる。また、構成部品ごとにユニット化しておけば、故障やメンテナンス等での部品交換をユニット単位で行うことができるので、作業性が向上する。
【００２１】
前記空調システムにおいては、前記建物の内部の空気を屋外へ排出可能な少なくとも一つの排気経路を前記建物の壁部に設けることができる。
【００２２】
このような構成とすれば、建物内の空気を、排気経路を経由して建物外へ効率的に排出することができるので、換気作用が向上する。
【００２３】
前記空調システムにおいては、空気の温度、湿度、二酸化炭素濃度若しくは空気汚染度のうちの少なくとも１以上を感知するセンサを、前記建物内若しくは前記建物の内部の空気を前記第一熱交換ユニットに導入するための空気流路に配置し、
前記センサの計測値に基づいて、前記第一熱交換ユニットから前記建物の内部へ供給される調和空気の温度制御、湿度制御、供給量制御のうちの１以上を行う制御手段を設けることができる。
【００２４】
このような構成とすれば、センサの測定値に基づいて、第一熱交換ユニット、第二熱交換ユニット、熱源機などを稼働させることにより、建物内の温度、湿度を適切に保つことができ、二酸化炭素濃度の上昇や空気汚染度の悪化を防止することができる。特に、夏場の冷房運転時においては、放射体表面の結露発生を抑制しながら建物内を快適に空調することができる。
【００２５】
前記空調システムにおいては、前記センサと前記制御手段との間の信号伝達を無線通信で行うようにすることができる。
【００２６】
このような構成とすれば、信号ケーブルなどの配線が不要となるので、施工性が向上する。
【００２７】
前記空調システムにおいては、前記温度センサ、前記湿度センサの少なくとも一方の計測値に基づいて、前記第一熱交換ユニットへ導入する前記還気の風量及び前記外気の風量を調整する制御機能を設けることもできる。
【００２８】
このような構成とすれば、建物の内部の湿度が設定値を超えた場合に第一熱交換ユニットへ導入する前記還気の風量を増大させて前記外気の風量を減少させ、除湿機能を高めることができるので、放射体の結露抑制に有効である。
【００２９】
前記空調システムにおいては、前記温湿度処理装置が、
前記温湿度処理装置に導入される空気を清浄化するフィルタと、
前記温湿度処理装置から建物内へ再供給される空気に加湿する加湿器と、
前記空気中の余剰水分を除去するエリミネータと、を備えたものとすることができる。
【００３０】
このような構成とすれば、前記温湿度処理装置は空気清浄化機能、加湿機能及び除湿機能を一体的に具備したものとなるため、装置のコンパクト化を図ることができ、設置作業を容易化することもできる。
【発明の効果】
【００３１】
本発明により、パネル型の放射体を用いた空調システムであって、建物内を適切な温度、湿度で空調することができ、冷房運転中の放射体に結露が発生せず、居住者にとって快適な空調システムを提供することができる。
【図面の簡単な説明】
【００３２】
【図１】本発明の実施形態である空調システムを示す図である。
【図２】図１に示す空調システムを構成する温湿度処理装置を示す図である。
【図３】本発明の第２実施形態である空調システムの構成を示す図である。
【図４】図３に示す空調システムを構成する温湿度処理装置を示す図である。
【図５】図３に示す空調システムを構成する流路切替手段を示す一部省略斜視図である。
【図６】図５に示す流路切替手段の一部省略分解斜視図である。
【図７】図５に示す流路切替手段の機能を示す説明図である。
【図８】図３に示す空調システムが冷房運転している状態を示す図である。
【図９】図３に示す空調システムが暖房運転している状態を示す図である。
【発明を実施するための形態】
【００３３】
以下、図１，図２に基づいて、本発明の第１実施形態である空調システム１００について説明する。図１，図２に示すように、空調システム１００は、温度調節された第二熱交換媒体（水）を内部に流通させ表面から暖気若しくは冷気を放出して放射空調を行うために建物９０内に配置された複数のパネル型の放射体１０と、第二熱交換ユニット３０、第一熱交換ユニット４０及び熱源機６０が一体化された温湿度処理装置８０と、を備えている。温湿度処理装置８０は建物９０の外部に配置されている。
【００３４】
温湿度処理装置８０を形成する第二熱交換ユニット３０は、第二熱交換媒体（水）を温度調節して放射体１０との間で循環させる機能を有する。第一熱交換ユニット４０は、建物９０の内部から導入した空気と屋外から導入した空気との混合空気に調湿、調温を施して形成した調和空気を建物９０の内部へ再供給する機能を有する。ヒートポンプ式の熱源機６０は、第一熱交換媒体（冷媒ガス）を温度調節して第一熱交換ユニット４０に循環供給し、熱交換器３２を介して第二熱交換ユニット３０内の水を温度調節する機能を有する。温湿度処理装置８０は一体構造としているが、第一熱交換ユニット４０を分離したセパレート型としてもよい。
【００３５】
図１に示すように、建物９０の内部の１階部分及び２階部分の各部屋の天井付近にそれぞれ放射体１０が水平状態で配置され、温湿度処理装置８０から供給される調和空気（調湿、調温後の空気）を建物９０内へ導入するための複数の給気口９４が１階の床面部Ｆ１に設けられている。給気口９４は床下空間９１と連通し、床下空間９１をダクトレスとしており、床下空間９１と温湿度処理装置８０とは、屋外において、ダクト２５で接続されている。なお、給気口９４は、２階の床面部Ｆ２にも設けることができる。
【００３６】
給気口９４の位置は限定されないので、建物９０内の各部屋に給気口９４を設けたり、必要な部屋のみに設けたりすることができる。また、建物９０内の共用部分（ホールやリビングなどの非居室部分）のみに給気口９４を設けても良い。
【００３７】
建物９０の壁面Ｗ１の１，２階部分にはそれぞれ、建物９０内の空気を屋外の温湿度処理装置８０へ導入するための排気口９５が設けられている。複数の排気口９５と温湿度処理装置８０とは、屋外において、ダクト２７で接続されている。また、壁面Ｗ１の２階部分には差圧ダンパ９６が設けられ、壁面Ｗ１のトイレに面する部分には換気扇９７が設けられ、ダイニングに面する壁面Ｗ２には同時給排気機能を有する台所用局所排気手段９８が設けられている。
【００３８】
図２に示すように、第二熱交換ユニット３０は、ポンプ３１と、熱交換器３２と、膨張タンク３３と、を備えている。ポンプ３１は、流通経路２０を経由して、複数の放射体１０へ第二熱交換媒体（水）を循環供給する機能を有している。熱交換器３２は、第二熱交換ユニット３０と放射体１０との間を循環する水と、熱源機６０で温度調節された第一熱交換媒体と、の間で熱交換を行う機能を有する。膨張タンク３３は、流通経路２０内の圧力調整タンクであり、流通経路２０内を循環する水の温度変化に伴う膨張を緩衝する機能を有する。
【００３９】
第一熱交換ユニット４０は、フィルタ４１、熱交換器４２、加湿器４３、エリミネータ４４、送風ファン４５及び温湿度センサ４６などを備えている。第一熱交換ユニット４０においては、建物９０の内部からダクト２７を経由して導入した空気と、屋外から導入口２６を経由して導入した空気（外気）と、が混合されて混合空気が形成され、この混合空気は、フィルタ４１で濾過され、熱交換器４２で温度調節された後、加湿器４３及びエリミネータ４４を通過し、送風ファン４５により、ダクト２５及び給気口９４を経由して建物９０内へ供給される。
【００４０】
加湿器４３は、熱交換器４２で温度調節された調和空気に水分を付加する機能を有し、エリミネータ４４は調和空気中の余分水分を除去する機能を有する。加湿器４３及びエリミネータ４４は季節に応じて稼働し、特に、空気が乾燥する冬場に稼働する。
【００４１】
第一熱交換ユニット４０は、ダクト２７を経由して導入した建物９０内の空気と、導入口２６を経由して導入した外気との混合比率を変更するための流路開閉手段４７，４８を備えている。温湿度センサ４６は、ダクト２７を経由して導入した建物９０内の空気の温度、湿度を計測して、空調状態を制御するためのものである。なお、温湿度センサは外気側にも設けることができ、これによって外気の状態を検知し、室内側の温湿度センサから検知された測定値と外気側の温湿度センサの測定値とに基づいて、放射体１０が結露しない状態を演算して、空調制御に利用することもできる。
【００４２】
熱源機６０は、第一熱交換媒体（冷媒）を圧縮するためのコンプレッサ６１ｘと、夏冬で運転モードを切り替えるための切り替えバルブ（四方弁）６２ｘと、冷媒の熱を放散するための放熱器６３ｘ及び送風ファン６４と、を備えている。熱源機６０にて温度調節された第一熱交換媒体（冷媒）は、第二熱交換ユニット３０の熱交換器３２及び第一熱交換ユニット４０の熱交換器４２に循環供給される。
【００４３】
図１に示す空調システム１００においては、屋外に設置された温湿度処理装置８０の熱交換器３２で温度調節された熱媒（水）を、流通経路２０を通じて、建物９０内の複数の放射体１０に流通させ、複数の放射体１０から放熱される熱によって建物９０内の放射冷暖房を行う。このとき、第一熱交換ユニット４０により２４時間換気を実施しながら、且つ、第一熱交換ユニット４０に取り込んだ建物９０内の空気を調湿、調温して建物９０内へ再供給して循環することができる。このため、特に、夏場の放射空調による冷房運転時には、建物９０内の湿度を放射体１０の表面の露点よりも低く下げることができ、放射体１０の表面の結露発生を防止することができる。
【００４４】
ここで、空調システム１００による夏場の空調運転について説明する。夏場の空調開始時は、まず冷媒側の空気の調節を行う。外気温センサ、室温センサ、湿度センサなどによって露点温度を算出し、室内空気ＲＡ、外気ＯＡを混合しながら、室内環境を目標露点以下の温湿度条件に調整する。このために、第一熱交換ユニット４０からの供給空気の外気量比率を極力減少させた状態で（還気量を極力増大させた状態で）除湿循環運転を行う。即ち、還気１００％、外気０％に近い状態で除湿循環運転を行う。調整完了後は、放射体１０側の冷水も循環させて放射空調を行う。空気側は室内状態が露点を超えないよう、制御をかけて調整する。
【００４５】
このような状態で空調システム１００を運転することにより、建物９０の内部での結露発生を抑制することができ、放射体１０の表面の結露発生を防止することができるようになり、カビなどの発生も防止することができる。また、放射体１０の表面に結露が発生しないことにより、放射体１０に係る結露受け（ドレンパン）の設置も不要となり、排水経路の施工の手間及び排水経路用の資材をそのまま削減することができる。除湿運転に関しては、以下の実施形態においても同様の運転を行う。
【００４６】
一方、冬場においては、複数の放射体１０から放熱される熱によって建物９０内の放射暖房を行いながら、第一熱交換ユニット４０に取り込んだ建物９０内の空気を、熱交換器４２によって温度調節した後、若しくは、必要に応じて加湿器４３によって調湿した後、建物９０内へ再供給して循環することができる。
【００４７】
図１，図２に示すように、第二熱交換ユニット３０、第一熱交換ユニット４０及び熱源機６０を備えた温湿度処理装置８０を建物９０外に配置したことにより、温湿度処理装置８０のメンテナンス作業者は建物９０内へ入ることなく、各種作業を行うことが可能となる。従って、建物９０の居住者が不在であっても、温湿度処理装置８０の第二熱交換ユニット３０、第一熱交換ユニット４０及び熱源機６０などのメンテナンスを行うことができる。
【００４８】
また、図２に示すように、温湿度処理装置８０は、第二熱交換ユニット３０、第一熱交換ユニット４０及び熱源機６０を一体化した構造であるため、空調システム１００を構築する際の空調用機材の簡素化、コンパクト化を図ることができる。
【００４９】
空調システム１００においては、差圧ダンパ９６を調整することにより、第一熱交換ユニット４０による建物９０内へ空気供給量が建物９０内から屋外への空気排出量より大となるように設定されている。これにより、所謂「２種換気方式」の換気を実行しながら、大気圧よりも建物９０内の室内圧が高くなる結果、建物９０の隙間などを経由して、屋外から建物９０内へ塵埃や花粉などが侵入するのを防止することができる。
【００５０】
さらに、図２に示すように、建物９０内の空気を第一熱交換ユニット４０に取り入れるための空気流路に温湿度制御用の温湿度センサ４６が設けられているため、温湿度センサ４６の測定値に基づいて建物９０内を的確な温度・湿度にて空調することができる。なお、温湿度センサ４６と同機能を有する温湿度センサを外気側にも設けても良い。
【００５１】
次に、図３〜図９に基づいて、本発明の第２実施形態である空調システム２００について説明する。なお、図３〜図９に示す空調システム２００の構成部分において、前述した空調システム１００の構成部分と共通する部分については、図１，図２中の符号と同符号を付して説明を省略する。
【００５２】
図３，図４に示すように、空調システム２００においては、温湿度処理装置８０に設けられた還気経路８１及び給気経路８２と、ダクト２５，２７との間に流路切替手段５０が配置されている。また、建物９０の内部に無線式のセンサ４９が配置されている。後述するように、流路切替手段５０は、ダクト２５，２７の還気経路機能及び給気経路機能を互いに可逆的に転換可能である。
【００５３】
ここで、図５〜図７に基づいて、流路切替手段５０について説明する。図５，図６に示すように、流路切替手段５０は、気密性を有する直方体形状の本体５１を備え、本体５１の天板５１ａにはダクト２５，２７が並列状に接続され、本体５１の底板５１ｂには換気経路８１及び給気経路８２が並列状に接続されている。
【００５４】
図６に示すように、本体５１は、上方流路部６３、流路切替部６２及び下方流路部６１を積層状に連結することによって形成されている。流路切替部６２は、上方流路部６３と下方流路部６１との間に挟持されている。上方流路部６３、流路切替部６２及び下方流路部６１は互いに着脱可能に連結されている。
【００５５】
下方流路部６１の外観は、上面部分（底板５１ｂの対向部分）が開口した直方体形状をなし、その内部は矢線Ｙ，Ｚ方向と平行に配置された隔壁１によって容積の等しい二つの領域６１ａ，６１ｂに区画されている。還気経路８１は領域６１ｂ内に連通し、給気経路８２は領域６１ａ内に連通している。
【００５６】
流路切替部６２の外観は、上面及び下面が開口した四角筒体形状をなし、その内部は十字状に交差する２枚の隔壁２，３によって断面積（矢線Ｘ，Ｙと平行な仮想平面における断面積）の等しい４つの領域６２ａ，６２ｂ，６２ｃ，６２ｄに区画されている。隔壁２は矢線Ｙ，Ｚ方向と平行をなし、隔壁３は矢線Ｘ，Ｚ方向と平行をなしている。
【００５７】
流路切替部６２と下方流路部６１とを連結すると、隔壁２の下縁部２ｂと隔壁１の上縁部１ａとが気密状に接合され、流路切替部６２の領域６２ａ，６２ｂが下方流路部６１の領域６１ａに連通するとともに、流路切替部６２の領域６２ｃ，６２ｄが下方流路部６１の領域６１ｂに連通する。
【００５８】
流路切替部６２は、複数の軸体５２，５５と、軸体５２（５５）に固定された複数の羽根５３，５４（５６，５７）と、軸体５２を正転・逆転駆動する開閉器５８と、軸体５２，５５を連動させる連結部材５９と、を備えている。軸体５２は、領域６２ａ，６２ｂ内を矢線Ｙ方向と平行に貫通するように配置され、軸体５５は、領域６２ｃ，６２ｄ内を矢線Ｙ方向と平行に貫通するように配置されている。
【００５９】
図６に示すように、軸体５２（５５）に対する羽根５３，５４（５６，５７）の取り付け角度は互いに９０度異なっている。領域６２ａの羽根５３が全開状態にあるとき、領域６２ｂは羽根５４で全閉状態にあり、同時に、領域６２ｃは羽根５６で全閉状態にあり、領域６２ｄの羽根５７は全開状態にある。
【００６０】
上方流路部６３の外観は、下面（天板５１ａの対向面）が開口した直方体形状をなし、その内部は、矢線Ｘ，Ｚ方向と平行な隔壁４によって容積の等しい二つの領域６３ａ，６３ｂに区画されている。ダクト２５は領域６３ａ内に連通し、ダクト２７は領域６３ｂ内に連通している。
【００６１】
上方流路部６３と流路切替部６２とを連結すると、隔壁４の下縁部４ｂと隔壁３の上縁部３ａとが気密状に接合され、流路切替部６２の領域６２ａ，６２ｃが上方流路部６３の領域６３ａに連通するとともに、流路切替部６２の領域６２ｂ，６２ｄが上方流路部６３の領域６３ｂに連通する。
【００６２】
流路切替手段５０の本体５１内の羽根５３，５４，５６，５７が図６に示す状態にあるとき、還気経路８１は、領域６１ｂ、領域６２ｄ及び領域６３ｂを経由してダクト２７と連通し、給気経路８２は、領域６１ａ、領域６２ａ及び領域６３ａを経由してダクト２５と連通する。これにより、ダクト２５，２７と、還気経路８１及び給気経路８２との連通関係は図７（ａ）に示す状態となる。
【００６３】
一方、開閉器５８により軸体５２を矢線Ｒ方向（図６参照）に９０度回転させると、領域６２ａの羽根５３が全閉状態となり、領域６２ｂの羽根５４は全開状態となり、同時に、領域６２ｃの羽根５６は全開状態となり、領域６２ｄの羽根５７は全閉状態となる。この状態になると、図６に示す還気経路８１は、領域６１ｂ、領域６２ｃ及び領域６３ａを経由してダクト２５と連通し、図６に示す給気経路８２は、領域６１ａ、領域６２ｂ及び領域６３ｂを経由してダクト２７と連通する。これにより、ダクト２５，２７と、還気経路８１及び給気経路８２との連通関係は図７（ｂ）に示す状態となる。
【００６４】
図５〜図８に基づいて、空調システム２００の暖房運転について説明する。空調システム２００の暖房運転する場合、流路切替手段５０の羽根５３，５４，５６，５７を図６に示す状態にセットする。この状態で温湿度処理装置８０を稼働させると、温湿度調節された空気は給気経路８２、流路切替手段５０、ダクト２５及び床下空間９１を経由して複数の給気口９４から建物９０の内部へ供給される。
【００６５】
一方、建物９０の内部の空気は、壁面Ｗ１に設けられた複数の排気口９５、ダクト２７、流路切替手段５０及び還気経路８１を経由して温湿度処理装置８０内へ導入され、導入口２６を経由して屋外から導入された空気と混合され、調温処理及び調湿処理が施された後、給気経路８２などを経由して建物９０の内部へ供給される。
【００６６】
次に、図９に基づいて、空調システム２００の冷房運転について説明する。空調システム２００の冷房運転する場合、流路切替手段５０の開閉器５８を作動させ、羽根５３，５４，５６，５７の開閉状態をそれぞれ逆にすることにより、還気経路８１とダクト２５とを連通させ、給気経路８２とダクト２７とを連通させる。この状態で温湿度処理装置８０を稼働させると、温湿度調節された空気は給気経路８２、流路切替手段５０、ダクト２７及び複数の排気口９５を経由して建物９０の内部へ供給される。
【００６７】
一方、建物９０の内部の空気は、複数の給気口９４、床下空間９１、ダクト２５、流路切替手段５０及び還気経路８１を経由して温湿度処理装置８０内へ導入され、導入口２６を経由して屋外から導入された空気と混合され、調温処理及び調湿処理が施された後、給気経路８２などを経由して建物９０の内部へ再供給される。
【００６８】
図３に示すように、空調システム２００においては、建物９０の内部に無線式のセンサ４９が配置されている。センサ４９は、建物９０の内部の空気の温度、湿度、二酸化炭素濃度若しくは空気汚染度のうちの何れかを感知し、センサ４９の計測値に基づいて、供給空気の温度制御、供給空気の湿度制御、供給空気量制御、建物９０内の空気と外気との混合量制御を行うことができる。また、センサ４９と制御手段との間の信号伝達は無線通信で行うことができる。センサ４９は複数の感知機能が一体化されたものであるが、個別の感知機能を有するセンサは別々に配置することもできる。
【００６９】
センサを個別に設ける場合、温度センサ、ＣＯ２センサ、空気汚染度センサは多くの人が滞在するリビングに配置し、湿度センサは湿気が発生しやすい台所、脱衣室などに配置することが望ましい。特に、湿度管理が重要な放射空調においては、湿度管理を厳密に行う必要があるため、湿度センサの設置位置は湿度が発生し易い台所や脱衣所が好ましい。
【００７０】
ここで、温度センサの役割は供給空気の温度制御（設定した温度となるように温度制御）であり、湿度センサの役割は供給空気の湿度制御（設定した湿度となるように、特に冷房時に放射体が結露しないような制御、環気量の制御など）であり、ＣＯ２センサの役割は室内空気のＣＯ２濃度制御（新鮮空気量の制御：濃度が低いときは新鮮空気の取り入れ量を制限し、濃度が規定値より高い場合は新鮮空気の取り入れ量を増加させる）であり、空気汚染度センサの役割は空気清浄度の制御である。
【００７１】
なお、図１〜図９に基づいて説明した空調システム１００，２００は本発明を例示するものであり、本発明に係る空調システムは前述した空調システム１００，２００に限定されない。
【産業上の利用可能性】
【００７２】
本発明の空調システムは、戸建住宅や集合住宅などの各種建築物における空調手段として、建築・建設産業などの分野において広く利用することができる。
【符号の説明】
【００７３】
１，２，３，４  隔壁
１ａ，３ａ  上縁部
２ｂ，４ｂ  下縁部
１０  放射体
２０  流通経路
２５，２７  ダクト
２６  導入口
３０  第二熱交換ユニット
３１  ポンプ
３３  ＥＴ
３２，４２  熱交換器
４０  第一熱交換ユニット
４１  フィルタ
４３  加湿器
４４  エリミネータ
４５，６４  送風ファン
４６，４９  センサ
４７，４８  流路開閉器
５０  流路切替手段
５１  本体
５１ａ  天板
５１ｂ  底板
５１ｃ  四角筒状体
５２，５５  軸体
５３，５４，５６，５７  羽根
５８  開閉器
５９  連結部材
６０  熱源機
６１  下方流路部
６２  流路切替部
６３  上方流路部
６１ａ，６１ｂ，６２ａ，６２ｂ，６２ｃ，６２ｄ，６３ａ，６３ｂ  領域
６１ｘ  コンプレッサ
６２ｘ  切り替えバルブ
６３ｘ  放熱器
８０  温湿度処理装置
８１  還気経路
８２  給気経路
９０  建物
９１  床下空間
９２  壁内空間
９３  小屋裏空間
９４  給気口
９５  排気口
９６  差圧ダンパ
９７  換気扇
９８  台所用局所排気手段
１００，２００  空調システム
Ｆ１，Ｆ２  床面部
Ｗ１，Ｗ２  壁面
【図１】
2019039602.tif 000003
【図２】
2019039602.tif 000004
【図３】
2019039602.tif 000005
【図４】
2019039602.tif 000006
【図５】
2019039602.tif 000007
【図６】
2019039602.tif 000008
【図７】
2019039602.tif 000009
【図８】
2019039602.tif 000010
【図９】
2019039602.tif 000011